(57)【要約】【課題】簡単な構造により油分の流出を防止し、周辺機器や周囲環境の汚染を抑制でき、また、製造コスト、製作リードタイムの低減および信頼性の向上を図ることのできる回転電機を提供する。【解決手段】回転電機は、枢軸１１と、回転子１４と、回転子に対向して設けられた固定子１２と、枢軸に嵌合された軸受５、６と、それぞれ軸受が装着された軸受箱を有する端板３、４を備え、固定子および回転子を覆った機体枠１と、軸受箱の外側で端板に貫通形成された複数の透孔７と、透孔内に嵌め込まれ、透孔における潤滑油の通過を規制する中空のブッシュ１７と、を具備している。【選択図】図１
2010220356.tif 000002
【特許請求の範囲】
【請求項１】
枢軸と、
回転子と、
回転子に対向して設けられた固定子と、
前記枢軸に嵌合された軸受と、
それぞれ前記軸受が装着された軸受箱を有する端板を備え、前記固定子および回転子を覆った機体枠と、
前記軸受箱の外側で前記端板に貫通形成された複数の透孔と、
前記透孔内に嵌め込まれ、前記透孔における潤滑油の通過を規制する中空のブッシュと、を備えた回転電機。
【請求項２】
前記ブッシュは、前記透孔の断面形状に対応する断面形状を有し、前記透孔の内面に密着して嵌め込まれている請求項１に記載の回転電機。
【請求項３】
前記ブッシュは、前記端板の内面から機内に突出し凸部を形成した端部を有している請求項１又は２に記載の回転電機。
【請求項４】
前記ブッシュは、前記端板の内面よりも前記透孔内に引込んで位置し、前記透孔と共に凹部を形成する端部を有している請求項１又は２に記載の回転電機。
【請求項５】
前記ブッシュは、その内周面に形成された凹部を有している請求項１ないし４のいずれか１項に記載の回転電機。
【請求項６】
前記ブッシュは、その内周面に形成された凸部を有している請求項１ないし４のいずれか１項に記載の回転電機。
【請求項７】
前記ブッシュは、その内部に設けられたブレードを有している請求項１ないし６のいずれか１項に記載の回転電機。
【請求項８】
前記ブレードは、前記枢軸と平行な方向に沿って延びている請求項７に記載の回転電機。
【請求項９】
前記ブレードは、前記ブッシュの前記端板内面側の端から機体内に突出している請求項７に記載の回転電機。
【請求項１０】
前記ブレードは、前記ブッシュの前記端板外面側の端から機体外側に突出している請求項７に記載の回転電機。
【請求項１１】
前記ブレードは前記ブッシュに連結された端部を有し、前記ブッシュの内、前記ブレードが連結された部分は、他の部分よりも厚く形成されている請求項７に記載の回転電機。
【請求項１２】
前記ブレードに補強材が埋め込まれている請求項７に記載の回転電機。
【請求項１３】
前記ブレードは、前記ブッシュの中心位置からずれて設けられている請求項７に記載の回転電機。
【請求項１４】
前記ブッシュは、前記端板外面側の端を閉塞した閉塞板と、この閉塞板に形成された複数の通気孔と、を有している請求項１又は２に記載の回転電機。
【請求項１５】
それぞれ前記透孔に嵌め込まれた複数のブッシュを互いに連結した連結板を有している請求項１に記載の回転電機。
【請求項１６】
前記連結板にそれぞれ設けられた複数のブレードを有している請求項１５に記載の回転電機。
【請求項１７】
前記複数のブレードは、前記枢軸を中心とする円周方向に、不等ピッチで並んで設けられている請求項１６に記載の回転電機。
【請求項１８】
前記機体枠は、前記枢軸と同軸的に設けられた円筒状の回転子枠と、前記回転子枠の両端部を閉塞した前記端板と、を有し、前記回転子は前記回転子枠の内周面に固定され、前記固定子は、前記枢軸に固定され前記回転子と隙間を置いて対向している請求項１ないし１７のいずれか１項に記載の回転電機。
【請求項１９】
前記機体枠は、前記枢軸と同軸的に設けられた円筒状の固定子枠と、前記固定子枠の両端部を閉塞した前記端板と、を有し、前記固定子は前記固定子枠の内周面に固定され、前記回転子は、前記枢軸と、この枢軸に固定され前記固定子と隙間を置いて対向する回転子鉄心と、を有している請求項１ないし１７のいずれか１項に記載の回転電機。
【発明の詳細な説明】
【技術分野】
【０００１】
この発明は、油潤滑を行う軸受部を備えた回転電機に関する。
【背景技術】
【０００２】
例えば、アウターロータ型の回転電機は、枢軸と、枢軸に固定され永久磁石等からなる固定子と、軸受を介して枢軸に回転自在に支持され、固定子の外周側に設けられた回転子と、を備えている。回転子は、枢軸と同軸的に位置した円筒状の回転子枠と、回転子枠の両端部を閉塞した端板とを有している。各端板の中心部には軸受箱が形成され、この軸受箱に軸受の外輪が嵌合されている。軸受の内輪は枢軸に嵌合されている。これにより、端板および回転子枠は、軸受を介して枢軸に回転自在に支持されている。各端板には通気用の複数の開口窓が形成され、軸受の外周側に位置している（例えば、特許文献１）。
【０００３】
固定子は、電磁鋼板から成る固定子鉄心に固定子巻線を巻装され、回転子枠の内周面と固定子の外周面とは対向し、これらの間に所定の空隙長を保つように空隙が形成されている。軸受箱には軸受を潤滑するための潤滑剤が保持されている。回転電機の運転中において、軸受箱内は発熱などにより温度上昇し、潤滑剤が温度上昇することにより、潤滑剤から油分が流出し、軸受内に進行し、軸受内ころの潤滑が行われる。
【０００４】
このような回転電機は、例えば、以下の用途に使用されている。  
１）回転子枠、又は軸受箱の外周をブレーキドラムやブレーキディスクとして用いるブレーキシステム。  
２）回転子枠、又は軸受箱の外周に速度センサのローラを配置しかつ接触させることにより、速度制御装置として使用する。  
３）回転子枠にロープを巻き付け、回転子枠の回転に伴ってロープを巻上げる巻上機として使用する。  
４）回転子枠にファンを配置することにより、外転形ファンとして使用する。  
５）回転電機を車輪駆動に用いて、車両などに代表される車載用回転電機としても利用できる。
【先行技術文献】
【特許文献】
【０００５】
【特許文献１】特開２００１−１９３２２号公報
【発明の概要】
【発明が解決しようとする課題】
【０００６】
しかしながら、上記のように構成された回転電機において、潤滑剤から流出した油分は、軸受の内転動面へ供給され潤滑が行われるが、この油分は、軸受箱内だけに留まらず、軸受箱と枢軸軸との貫通部から、あるいは、開口窓から回転電機外に流出する場合がある。流出経路は、以下の４通りがある。  
１）軸受内→枢軸貫通部→軸受箱内面→軸受箱開口部→軸受箱外面→回転電機外周  
２）軸受内→枢軸貫通部→軸受箱内面→軸受箱開口部→外気  
３）軸受内→枢軸貫通部→軸受箱内面→回転子枠接合部→外気  
４）軸受内→枢軸貫通部→軸受箱外面→外気
上記のように油分が回転電機外に流出した場合、以下のような問題が生じる。  
１）回転電機をブレーキシステムに使用する場合、潤滑剤の油分が回転電機外周に流出すると、ブレーキシステムの摺動部へ油分が付着し、適正なブレーキ制動力を得ることが困難となる。
【０００７】
２）前述と同様に、潤滑剤の油分が回転電機外周に流出し、速度センサのローラ摺動面に付着した場合、適正な速度フィードバックが得られず、正常な速度制御が不可能となる。
【０００８】
３）潤滑剤の油分が外気へ流出した場合、周辺機器や周囲環境の汚染の要因となる。  
４）油分が周囲の制御盤などへ飛散、付着した場合、他システムへの誤動作を誘発する要因となる。
【０００９】
５）油分流出を防止するため、枢軸貫通部にラビリンス構造などの対策を設けることが考えられるが、この場合、各部品の加工精度を向上させる必要があり、回転電機の製作費用、リードタイム増加などの要因となる。ラビリンス構造は、構成が複雑な他、ラビリンス構造を設けるためのスペースが必要となり、回転電機の大形化の要因となり、特に、回転電機の枢軸貫通部の場合、その影響が大きい。
【００１０】
６）油分流出を防止するため、枢軸貫通部にオイルシール構造をとる場合、オイルシールの摺動部は、高周波焼入れなどによる硬度向上が必要であり、製作費用・リードタイム増加などの要因となる。また、オイルシールの定期的な交換が必要であり、保守・点検の費用・時間などが必要となる。更に、リップ部への微小な粉塵などが混入した場合、適正なシール効果が得られない場合がある。また、摺動部の粉塵による磨耗などにより、軸側の磨耗や経年的な損傷を引き起こし、回転電機の短寿命化の要因となる。
【００１１】
７）一般的な軸受箱の開口窓の形状は、楕円穴が多い。この場合、開口窓にラビリンス構造などの加工を施すことが非常に困難である。機械加工を行う場合、精巧な製造技術を要し、かつ寸法、精度が不安定になりやすいだけでなく、コスト、製造時間が多大に必要となる。
【００１２】
８）軸受箱は、鋳物または鋳鋼などで成形する場合が多い。前述の加工を施さない場合は、形状誤差が大きく、品質のバラツキが多い。  
１０）開口窓からの油分の流出を防止するため、開口窓を小さくすることが考えられるが、この場合、通風面積が小さくなり、回転電機の温度上昇につながる場合がある。
【００１３】
この発明は以上の点に鑑みなされたもので、その目的は、簡単な構造により油分の流出を防止し、周辺機器や周囲環境の汚染を抑制でき、また、製造コスト、製作リードタイムの低減および信頼性の向上を図ることのできる回転電機を提供することにある。
【課題を解決するための手段】
【００１４】
この発明の態様に係る回転電機は、枢軸と、回転子と、回転子に対向して設けられた固定子と、前記枢軸に嵌合された軸受と、それぞれ前記軸受が嵌合された軸受箱を有し、内部を閉塞する機体枠を構成した端板と、前記軸受箱の外側で前記端板に貫通形成された複数の透孔と、前記透孔内に設けられ、前記透孔を通る潤滑油の通過を規制する中空のブッシュと、を具備している。
【発明の効果】
【００１５】
上記構成によれば、簡単な構造により油分の流出を防止し、周辺機器や周囲環境の汚染を抑制でき、また、製造コスト、製作リードタイムの低減および信頼性の向上を図ることのできる回転電機を提供することができる。また、構造の簡素化ができることから、回転電機の小形化、省スペース化および保守、点検などのメンテナンス費用の縮小も可能である。粉塵などの周囲環境からの影響も受けにくく、長寿命な回転電機を提供することができる。
【図面の簡単な説明】
【００１６】
【図１】本発明の第１の実施形態に係る回転電機を一部破断して示す側面図。
【図２】前記回転電機の正面図。
【図３】前記回転電機のブッシュを示す正面図。
【図４】前記回転電機のブッシュが装着された透孔部分を示す断面図。
【図５】本発明の第２の実施形態に係る回転電機の要部を示す断面図。
【図６】本発明の第３の実施形態に係る回転電機の要部を示す断面図。
【図７】本発明の第４の実施形態に係る回転電機の要部を示す断面図およびブッシュを示す断面図。
【図８】本発明の第５の実施形態に係る回転電機の要部を示す断面図およびブッシュを示す正面図。
【図９】本発明の第６の実施形態に係る回転電機の要部を示す断面図。
【図１０】本発明の第７の実施形態に係る回転電機の要部を示す断面図。
【図１１】本発明の第８の実施形態に係る回転電機のブッシュを示す正面図。
【図１２】本発明の第９の実施形態に係る回転電機のブッシュを示す正面図。
【図１３】本発明の第１０の実施形態に係る回転電機のブッシュを示す正面図。
【図１４】本発明の第１１の実施形態に係る回転電機のブッシュを示す正面図および回転電機の要部を示す断面図。
【図１５】本発明の第１２の実施形態に係る回転電機のブッシュを示す正面図および回転電機の要部を示す断面図。
【図１６】本発明の第１３の実施形態に係る回転電機の要部を示す断面図。
【図１７】本発明の第１４の実施形態に係る回転電機の要部を示す断面図。
【図１８】本発明の第１５の実施形態に係る回転電機のブッシュを示す正面。
【図１９】本発明の第１６の実施形態に係る回転電機の要部を示す断面図。
【図２０】本発明の第１７の実施形態に係る回転電機のブッシュを示す断面図。
【図２１】本発明の第１８の実施形態に係る回転電機のブッシュユニットを示す側面図。
【図２２】前記ブッシュユニットの斜視図。
【図２３】本発明の第１９の実施形態に係る回転電機の要部を示す断面図。
【図２４】前記回転電機のブッシュユニットを示す斜視図。
【図２５】本発明の第２０の実施形態に係る回転電機のブッシュユニットを示す平面図。
【図２６】本発明の第２１の実施形態に係る回転電機を一部破断して示す側面図。
【図２７】本発明の第２２の実施形態に係る回転電機を一部破断して示す側面図。
【発明を実施するための形態】
【００１７】
以下、図面を参照しながら、この発明の実施形態に係る回転電機について詳細に説明する。  
（第１の実施形態）  
図１は第１の実施形態に係る回転電機の一部を破断して示す側面図、図２は、回転電機の端板を示す正面図、図３はブッシュの平面図、図４は、ブッシュが装着された透孔部分を拡大して示す断面図である。
【００１８】
図１に示すように、回転電機２０は、例えば、外転型回転電機として構成されている。回転電機２０は、枢軸１１と、この枢軸の中央部分に固定され固定子１２と、軸受５、６により枢軸１１に回転自在に支持された回転子１４と、を備えている。固定子１２は、枢軸１１に固定された円筒状の固定子鉄心９と、固定子鉄心に巻装された固定子コイル１０とを有している。固定子鉄心９は、磁性材、例えば、珪素鋼板からなる環状の金属板を多数枚積層して構成されている。固定子鉄心９の外周部には、それぞれ軸方向に延びた複数のスロットが形成され、これらのスロットに固定子コイル１０が埋め込まれている。固定子コイル１０のコイルエンドは固定子鉄心９の両端面から軸方向に張り出している。
【００１９】
回転子１４は、円筒状に形成された回転子枠１と、回転子枠の両端にそれぞれ嵌合固定され、回転子枠の両端を閉塞した円盤状の端板３、４、と、回転子枠１の内周面に固定された環状の永久磁石２と、を備えている。なお、回転子枠１および端板３、４は、回転子１４および固定子１２を覆った機体枠を構成している。端板３、４の中心部には、枢軸１１を通す透孔が形成され、この透孔の周囲に軸受箱３ａ、４ａがそれぞれ形成されている。そして、軸受箱３ａ、４ａに軸受５、６の外輪５ａ、６ａがそれぞれ嵌合され、固定されている。軸受５、６の内輪は、枢軸１１の端部外周に嵌合されている。軸受箱３ａ、４ａの外側から軸受押え５ｂ、６ｂが軸受箱に固定され、軸受５、６を軸受箱に固定している。軸受箱３ａ、４ａ内には、例えば、グリース等の潤滑剤が保持されている。
【００２０】
これにより、回転子１４は、軸受５、６により枢軸１１に回転自在に支持されている。回転子枠１は、枢軸１１と同軸的に設けられているとともに、固定子１２の外周側に対向している。永久磁石２は、固定子１２の外周と隙間Ｇを置いて対向している。そして、固定子１２および永久磁石２は、回転子枠１および端板３、４により、気密に覆われている。固定子１２の固定子コイル１０に通電することにより、永久磁石２が誘導され、回転子１４が枢軸１１の周りで回転される。なお、一方の端板４の外周部を径方向外方に延長し、ブレーキディスク１３と使用してもよい。
【００２１】
図１および図２に示すように、端板３、４には、機体内と外部とを連通する複数の透孔７、８が形成されている。これらの透孔７、８は、回転電機２０の内気と外気を通気させ通気孔として設けられている。端板３、４において、複数の透孔７、８は、軸受箱３ａ、４ａの外周側に形成されているとともに、枢軸１１と同軸な円上に互いに隙間を並んで設けられている。各透孔７、８は、例えば、楕円形に形成され、また、透孔の中心軸は、枢軸１１とほぼ平行に延びている。
【００２２】
端板４の各透孔７には、例えば、ゴム、合成樹脂等の弾性材料で形成されたブッシュ１７が嵌め込まれている。図１ないし図４に示すように、ブッシュ１７は、透孔７に対応する断面が楕円形の中空形状、つまり、筒状に形成されている。ブッシュ１７の一端外周にはフランジ１７ａが形成されている。ブッシュ１７内にブレード１８が一体に形成されている。ブレード１８は、楕円の短軸に沿ってブッシュ１７の長辺間を延びているとともに、ブッシュ１７の軸方向全長に亘って延びている。このブレード１８は、空気流を発生させるフィンとして機能するとともに、ブッシュ１７の潰れを防止する補強板としても機能する。
【００２３】
ブッシュ１７は、端板４の外面側から透孔７に嵌め込まれ、その弾性により透孔７の内周面に密着している。ブッシュ１７のフランジ１７ａは、端板４の外面に当接し、ブッシュ１７を透孔７に対して位置きめしている。本実施形態において、ブッシュ１７の一端は、端板４の内面から機内側に例えば５〜１０ｍｍ程度、突出し、凸部１７ｂを形成している。また、ブッシュ１７内に一体に形成されたブレード１８は、枢軸１１を中心とする円周方向と交差する方向に延びている。なお、端板３に形成された各透孔８にも、上記と同様のブッシュ１７を嵌め込んでもよい。
【００２４】
上記のように構成された回転電機２０によれば、運転時、固定子１２の固定子コイル１０に通電することにより、永久磁石２が誘導され、回転子１４が枢軸１１の周りで回転する。回転電機２０の運転中において、軸受箱３ａ、４ａ内は発熱などにより温度上昇し、潤滑剤が温度上昇することにより、潤滑剤から油分が流出し、軸受内に進行し、軸受内ころの潤滑が行われる。また、流出した油分は、回転子１４の遠心力により、端板３、４の内面に沿って外周側に流れるが、この油分は、端板３の内面から突出したブッシュ１７の凸部１７ｂに当たり、この凸部１７ｂにて機内側に弾き飛ばされる。このことにより、油分が透孔７を通って回転電機２０外部へ流出、あるいは飛散することを防止可能となる。
【００２５】
また、ブッシュ１７に設けられたブレード１８は、回転子１４とともに回転することによりファンとして機能し、回転電機２０への冷却風を発生することができる。このため、回転電機２０全体の冷却性能が向上し、回転電機の小形、軽量化を図ることができる。回転電機２０全体の温度低減および軸受箱３ａ、４ａの送風により、軸受５、６の温度上昇が抑制することができる。この結果、潤滑剤からの油分流出量を抑制することができ、軸受油分流出を根本的に抑制することができる。このことにより。油分が回転電機外部へ流出することが防止することが可能となる。当然ながら軸受寿命の延長化並びに回転電機の長寿命化や軸受の保守の簡素化を図ることができる。
【００２６】
ブレード１８をブッシュ１７と一体に形成し、ブッシュ単品とすることができ、その分、回転電機２０の小形化が可能となる。また、回転電機２０の適用仕様によってブッシュを交換することにより、冷却性能を最適化することができる。そのため、他の部品の標準化や適用仕様の拡大が容易となる。
【００２７】
軸受の油分が外部へ流出しないことから、ブレーキディスク１３の摺動部への油分の付着を防止できる。このことから、適正なブレーキ制動力が安定して得られ、品質の向上と保守、点検の省力化が図れる。また、周辺機器や周囲環境の汚染も防止でき、他システムの誤動作防止にもなる。
【００２８】
回転電機２０においては、軸受６周辺の油分もれを端板４の透孔７周辺にて防止することができるため、オイルシールなどの採用をする必要がなく、軸受６周辺部の構成を簡素化することが可能となる。従って、回転電機２０全体の小形化が可能となる。また、回転電機の製作費用、リードタイムの短縮のみならず、保守・点検も簡素化することができる。オイルシールに起因する回転電機の短寿命化を抑制し、回転電機の長寿命化が可能となる。
【００２９】
ブッシュ１７はゴム、合成樹脂等により形成され容易に弾性変形、伸縮することができるため、端板４の透孔７の形状誤差があった場合でもブッシュ１７を透孔７に容易に、かつ、確実に嵌め込むことができ、精巧な製造技術を持たなくとも安定した効果が得られる。同様に、端板４の形状誤差もブッシュ１７により吸収可能である。開発時において、ブッシュ１７を設定していなくても、前述の取り付けに関する自由度が高いことから、回転電機の設計変更をすることなく、容易にブッシュを適用することができ、仕様の自由度を拡大できる。
【００３０】
次に、この発明に係る第２ないし第２２の実施形態において、回転電機のブッシュの構成を中心に説明する。第２ないし第２２の実施形態では、前述した第１の実施形態と異なる部分のみを示し、他の構成は、第１の実施形態と同一であり、その詳細な説明は省略する。
【００３１】
（第２の実施形態）
図５は、第２の実施形態に係る回転電機の要部を拡大して示す断面図である。  
図５に示すように、例えば、ゴム、合成樹脂等で形成されたブッシュ１７が端板４の透孔７に嵌め込まれている。ブッシュ１７は、透孔７に対応する断面が楕円形の中空形状、つまり、筒状に形成されている。ブッシュ１７の一端外周にはフランジ１７ａが形成されている。ブッシュ１７内にブレード１８が一体に形成されている。ブレード１８は、楕円の短軸に沿ってブッシュ１７の長辺間を延びているとともに、ブッシュ１７の軸方向全長に亘って延びている。
【００３２】
ブッシュ１７は、端板４の外面側から透孔７に嵌め込まれ、その弾性により透孔７の内周面に密着している。ブッシュ１７のフランジ１７ａは、端板４の外面に当接し、ブッシュ１７を透孔７に対して位置きめしている。本実施形態において、ブッシュ１７の一端は、端板４の内面と同一面あるいは透孔７内に引込んで位置し、ブッシュ１７の一端面および透孔７により凹部１７ｃが形成されている。
【００３３】
上記の構成によれば、軸受の潤滑剤から流出し端板４の内面に沿って流れた油分は、透孔７およびブッシュ１７によって形成された凹部１７ｃに溜まり、外部への流出および飛散が防止される。前述の第１の実施形態よりも油の弾き飛ばし力が若干低くなる場合があるが、油分を凹部１７ｃ内に留め置き、回転電機内への油分の流出を防止することができる。また、端板４の内面から突出する凸部１７ｂがないことから、回転電機内の空間を広くすることができる。その他、第１の実施形態と同様の作用効果が得られる。
【００３４】
（第３の実施形態）  
図６（ａ）は、第２の実施形態に係る回転電機の要部を拡大して示す断面図、図６（ｂ）は、ブッシュの他の断面を示す図である。  
図６（ａ）および図６（ｂ）に示すように、端板４の透孔７に嵌めこまれたブッシュ１７は、その内部にブレード１８を一体に備えている。ブッシュ１７の内周面の少なくとも一部に、周方向に延びた凹所２３が形成されている。本実施形態において、凹所２３は、ブッシュ１７の内面の全周に亘って延びている。  
上記の構成によれば、万一、ブッシュ１７内に進行した油分をブッシュ１７内で弾き飛ばし、外部へ流出しにくくすることができる。その他、第１の実施形態と同様の作用効果が得られる。
【００３５】
（第４の実施形態）  
図７（ａ）は、第４の実施形態に係る回転電機の要部を拡大して示す断面図、図７（ｂ）は、ブッシュの他の断面を示す図である。  
図７（ａ）および図７（ｂ）に示すように、端板４の透孔７に嵌めこまれたブッシュ１７は、その内部にブレード１８を一体に備えている。ブッシュ１７の内周面の少なくとも一部に、周方向に延びた凸部２４が一体に形成されている。本実施形態において、凸部２４は、ブッシュ１７の内面の全周に亘って延びている。  
上記の構成によれば、万一、ブッシュ１７内に進行した油分をブッシュ２１内で弾き飛ばし、外部へ流出しにくくすることができる。また、凸部２４により、ブッシュ１７の剛性が上がり、透孔７の内面に対するブッシュ１７の密着性が向上し、更に油もれ効果を増強することができる。その他、第１の実施形態と同様の作用効果が得られる。
【００３６】
（第５の実施形態）  
図８（ａ）は、第４の実施形態に係る回転電機の要部を拡大して示す断面図、図８（ｂ）は、ブッシュの他の断面を示す図である。  
図８（ａ）および８（ｂ）に示すように、端板４の透孔７に嵌めこまれたブッシュ１７は、その内部にブレード１８を一体に備えている。ブッシュ１７の中心軸に対して、また、回転電機の枢軸と平行な方向に対して、傾斜して延びている。
【００３７】
この構成によれば、ブレード１８による送風方向が、回転電機の枢軸１１に対し、平行方向とすることができ、冷却の阻害となる箇所が少なくなる。これにより、送風損失を低減し、回転電機の冷却性能を向上することができる。その他、第１の実施形態と同様の作用効果が得られる。
【００３８】
（第６の実施形態）  
図９は、第６の実施形態に係る回転電機の要部を拡大して示す断面図である。  
図９に示すように、端板４の透孔７に嵌めこまれたブッシュ１７は、その内部にブレード１８を一体に備えている。ブレード１８の回転電機内側の端部でかつ内周側の部分がブッシュ１７端面より機内側に突出している。この構成によれば、ブレード１８により回転電機の内気を循環することが強化され、内気温度および軸受箱内部表面温度が低減され、回転電機全体の温度および軸受温度の低減ができる。その他、第１の実施形態と同様の作用効果が得られる。
【００３９】
（第７の実施形態）  
図１０は、第７の実施形態に係る回転電機の要部を拡大して示す断面図である。  
図１０に示すように、端板４の透孔７に嵌めこまれたブッシュ１７は、その内部にブレード１８を一体に備えている。ブレード１８の回転電機内側の端部は、ブッシュ１７端面より機内側に突出している。この構成によれば、第６の実施形態と同様な作用、効果が得られる。その他、第１の実施形態と同様の作用効果が得られる。
【００４０】
（第８の実施形態）  
図１１は、第８の実施形態に係る回転電機のブッシュを拡大して示す正面図である。  
図１１に示すように、端板の透孔に嵌めこまれたブッシュ１７は、その内部にブレード１８を一体に備えている。また、ブレード１８の内、ブッシュ１７に連結されている連結部１８ａは、ブレードの他の部分よりも、厚さが厚く形成されている。この場合、ブレード１８のみならずブッシュ１７の剛性を強化することができる。それにより、回転電機が高速回転した場合のブッシュおよびブレードの破壊を抑制でき、回転電機の適用範囲の拡大を図ることができる。また、ブッシュ１７自体の耐候性が向上し、回転電機の屋外設置などの環境に対する適用範囲の拡大ができる。
【００４１】
（第９の実施形態）  
図１２は、第９の実施形態に係る回転電機のブッシュを拡大して示す正面図である。  
図１２に示すように、端板の透孔に嵌めこまれたブッシュ１７は、その内部にブレード１８を一体に備えている。ブレード１８内に、補強材として鋼製のモールド材２６が埋め込まれている。この場合、ブレード１８の剛性を向上することができ、回転電機が高速回転した場合のブレード１８の振れなどが抑制される。これにより、回転電機の適用範囲の拡大のみならず、一定した冷却風を発生することから特性・品質の安定化をはかることができる。
【００４２】
（第１０の実施形態）  
図１３は、第１０の実施形態に係る回転電機のブッシュを拡大して示す正面図である。  
図１３に示すように、端板の透孔に嵌めこまれたブッシュ１７は、その内部にブレード１８を一体に備えている。ブレード１８内に、補強材として合成樹脂製のモールド材２６が埋め込まれている。この場合、第９の実施形態と同様の作用効果が得られるが、より軽量化、生産性の向上が図れる。軽量化に伴い、回転方向のバランスの向上も図ることができ、品質の安定化や、より高速回転化が可能となる。
【００４３】
（第１１の実施形態）  
図１４（ａ）は、第１１の実施形態に係る回転電機のブッシュを拡大して示す正面図、図１４（ｂ）はブッシュの断面図である。  
図１４（ａ）、１４ｂに示すように、端板４の透孔７に嵌めこまれたブッシュ１７は、その内部にブレード１８を一体に備えている。また、ブッシュ１７の機外側の開口は、閉塞板２８により閉塞されている。本実施形態において、閉塞板２８は、ブッシュ１７と一体に成形されている。この閉塞板２８には、空気を通す複数の通気孔３０が形成されている。
【００４４】
この構成によれば、ブッシュ１７内を通過する油分を外部へ流出することを防止でき、かつ回転電機の冷却性を損なわない構成が得られる。また、閉塞板２８により、透孔異物の浸入防止を防止し、回転電機の品質向上と人体に対する保護を向上することができる。その他、第１の実施形態と同様の作用効果が得られる。
【００４５】
（第１２の実施形態）  
図１５（ａ）は、第１２の実施形態に係る回転電機のブッシュを拡大して示す正面図、図１５（ｂ）はブッシュの断面図である。  
図１５（ａ）、１５ｂに示すように、端板４の透孔７に嵌めこまれたブッシュ１７は、その内部にブレード１８を一体に備えている。また、ブッシュ１７の機外側の開口は、閉塞板２８により閉塞されている。本実施形態において、閉塞板２８は、ブッシュ１７と別体に形成されたものを、ブッシュ１７の開口端に固定している。この閉塞板２８には、空気を通す複数の通気孔３０が形成されている。
【００４６】
この構成によれば、第１２の実施形態と同様の作用効果を得ることができる。閉塞板２８を仕様の異なる他の閉塞板に変更することができ、設計自由度が増加し、回転電機の適用仕様を拡大することができる。
【００４７】
（第１３の実施形態）  
図１６は、第１３の実施形態に係る回転電機の要部を拡大して示す断面図である。  
図１６に示すように、端板４の透孔７に嵌めこまれたブッシュ１７は、その内部にブレード１８を一体に備えている。ブレード１８の回転電機外側の端部１８ｂは、ブッシュ１７端面より機外側に突出している。この構成によれば、ブレード１８によるファン効果が増加し、更なる回転電機の小形化を図ることができる。その他、第１の実施形態と同様の作用効果が得られる。
【００４８】
（第１４の実施形態）  
図１７（ａ）は、第１４の実施形態に係る回転電機の要部を拡大して示す断面図、図１７（ｂ）はブッシュの斜視図である。  
図１７（ａ）および図１７（ｂ）に示すように、端板４の透孔７に嵌めこまれたブッシュ１７は、ブレード１８を一体に備えている。ブレード１８は、ブッシュ１７の機外側の端面に設けられ、この端面から機外に向かって突出している。この構成によれば、ブレード１８によるファン効果が増加し、更なる回転電機の小形化を図ることができる。その他、第１の実施形態と同様の作用効果が得られる。
【００４９】
（第１５の実施形態）  
図１８は、第１５の実施形態に係る回転電機のブッシュを示す斜視図である。  
図１８に示すように、端板の透孔に嵌め込まれるブッシュ１７は、その内部にブレード１８を一体に備えている。ブレード１８は、ブッシュ１７の中心位置Ｙからずれた位置に設けられている。この構成によれば、広い周波数帯に音を分散することができ、冷却風量を縮小することなく低騒音化ができる。その他、第１の実施形態と同様の作用効果が得られる。
【００５０】
（第１６の実施形態）
図１９は、第１６の実施形態に係る回転電機の要部を拡大して示す断面図である。  
図１９に示すように、端板４の透孔７に嵌めこまれたブッシュ１７は、その内部にブレード１８を一体に備えている。ブッシュ１７に対するブレード１８の連結部の内、一方の連結部は、ブッシュ１７から分離され、隙間ｇを置いて、ブッシュの内面と対向している。この構成によれば、ブッシュ１７の形状を可変しやすく、端板の透孔形状に対しブッシュの適用範囲を拡大でき、ブッシュの標準化を図ることができる。その他、第１の実施形態と同様の作用効果が得られる。
【００５１】
（第１７の実施形態）  
図２０は、第１７の実施形態に係る回転電機のブッシュを示す斜視図である。  
図２０に示すように、端板の透孔に嵌め込まれるブッシュ１７は、その内部にブレード１８を一体に備えている。ブッシュ１７は、その厚さが不均一に形成されている。例えば、引張り力が作用するブッシュ１７の上下の長辺部１７ｄは、他の部分よりも板厚ｔが厚く形成されている。このように、引張力が作用するブッシュ１７の長辺部１７ｄを厚くして剛性を向上すると、ブッシュ自体の長寿命化が図られ、ブッシュに関する保守、点検の簡素化を図ることができる。その他、第１の実施形態と同様の作用効果が得られる。
【００５２】
（第１８の実施形態）  
図２１は、第１８の実施形態に係る回転電機のブッシュを示す平面図、図２２はブッシュを示す斜視図である。  
図２１、図２２に示すように、複数のブッシュ１７は、リング状の連結板３２により互いに連結され、１つのブッシュユニット３４として形成されている。複数のブッシュ１７は、連結板３２の円周方向に間隔を置いて並んで設けられている。連結板３２は、例えば、ゴム、合成樹脂等により、ブッシュ１７のフランジと一体に形成されている。各ブッシュ１７内にはブレード１８が一体に設けられている。
【００５３】
ブッシュユニット３４は、端板の外側から各ブッシュ１７を対応する透孔に嵌め込み、連結板３２が端板の外面に当接した状態で、回転電機に装着される。あるいは、ブッシュユニット３４は、端板の内側から各ブッシュ１７を対応する透孔に嵌め込み、連結板３２が端板の内面に当接した状態で、回転電機に装着されてもよい。
【００５４】
この構成によれば、ブッシュ１７により、透孔を通る油分を規制し、機外への油もれを防止することができる。また、複数の透孔に対して複数のブッシュ１７を同時に装着することができ、取付け時間の短縮を図ることができる。その他、第１の実施形態と同様の作用効果が得られる。
【００５５】
（第１９の実施形態）  
図２３は、第１９の実施形態に係る回転電機の要部を示す断面図、図２４はブッシュを示す斜視図である。  
図２３、図２４に示すように、複数のブッシュ１７は、リング状の連結板３２により互いに連結され、１つのブッシュユニット３４として形成されている。複数のブッシュ１７は、連結板３２の円周方向に間隔を置いて並んで設けられている。連結板３２は、例えば、ゴム、合成樹脂等により、ブッシュ１７のフランジと一体に形成されている。
【００５６】
複数のブレード１８が連結板３２と一体に形成されている。複数のブレード１８は、連結板３２において、ブッシュ１７と反対側の表面に設けられ、連結板からほぼ垂直に延出しているとともに、連結板の半径方向に沿って延びている。また、複数のブレード１８は、連結板３２の円周方向に互いに等間隔を置いて設けられ、隣合うブッシュ１７の間に位置している。
【００５７】
ブッシュユニット３４は、端板４の内面側から各ブッシュ１７を対応する透孔７に嵌め込み、連結板３２が端板４の内面に当接した状態で、回転電機に装着される。あるいは、ブッシュユニット３４は、端板の外側から各ブッシュ１７を対応する透孔７に嵌め込み、連結板３２が端板の外面に当接した状態で、回転電機に装着されてもよい。
【００５８】
この構成によれば、ブッシュ１７および連結板３２により、透孔７を通る油分を規制し、機外への油もれを防止することができる。ブレード１８によるファン効果を上げることができるとともに、ブッシュ１７内の通風面積を拡大することができ、冷却性能の拡大が図れる。これにより、回転電機の小形、軽量化や軸受温度低減による油流出抑制、軸受寿命の延長化が図れる。複数の透孔７に対して複数のブッシュ１７を同時に装着することができ、取付け時間の短縮を図ることができる。その他、第１の実施形態と同様の作用効果が得られる。
【００５９】
（第２０の実施形態）  
図２５は、第２０の実施形態に係る回転電機のブッシュユニットを示す平面図である。  
図２５に示すように、複数のブッシュ１７は、リング状の連結板３２により互いに連結され、１つのブッシュユニット３４として形成されている。複数のブッシュ１７は、連結板３２の円周方向に間隔を置いて並んで設けられている。連結板３２は、例えば、ゴム、合成樹脂等により、ブッシュ１７のフランジと一体に形成されている。
【００６０】
複数のブレード１８が連結板３２と一体に形成されている。複数のブレード１８は、連結板３２において、ブッシュ１７と反対側の表面に設けられ、連結板からほぼ垂直に延出しているとともに、連結板の半径方向に沿って延びている。また、複数のブレード１８は、連結板３２の円周方向に間隔を置いて設けられ、隣合うブッシュ１７の間に位置している。本実施形態において、複数のブレード１８は、連結板３２の円周方向に不等ピッチで設けられている。
【００６１】
ブッシュユニット３４は、端板４の内面側から各ブッシュ１７を対応する透孔７に嵌め込み、連結板３２が端板４の内面に当接した状態で、回転電機に装着される。あるいは、ブッシュユニット３４は、端板の外側から各ブッシュ１７を対応する透孔７に嵌め込み、連結板３２が端板の外面に当接した状態で、回転電機に装着されてもよい。
【００６２】
この構成によれば、第２３の実施形態と同様の作用効果を得ることができるとともに、ブレード１８を不等ピッチで配置することにより、広い周波数帯に音を分散することができ、冷却風量を縮小することなく低騒音化が図れる。その他、第１の実施形態と同様の作用効果が得られる。
【００６３】
（第２１の実施形態）  
図２６は、この発明の第２１の実施形態に係る回転電機を一部破断して示す側面図である。本実施形態によれば、回転子１４の一部を構成する端板４は、段付き形状に形成され、その中間部４ｃは、枢軸１１と同軸な円筒形状に形成されている。
【００６４】
端板４の中間部４ｃに複数の透孔７が形成され、他方の端板３に複数の透孔８が形成されている。各透孔７は、その中心軸が枢軸１１に対して径方向に沿って延びている。これらの透孔７、８は、回転電機２０の内気と外気を通気させる通気孔として設けられている。各透孔７、８は、例えば、楕円形に形成されている。
【００６５】
端板４の各透孔７には、例えば、ゴム、合成樹脂等で形成されたブッシュ１７が嵌め込まれている。ブッシュ１７は、透孔７に対応する断面が楕円形の中空形状、つまり、筒状に形成されている。ブッシュ１７内にブレード１８が一体に形成されている。
【００６６】
第２４の実施形態において、他の構成は前述した第１の実施形態と同一であり、同一の部分には同一の参照符号を付してその詳細な説明を省略する。そして、第２４の実施形態においても、第１の実施形態と同様の作用効果を得ることができる。
【００６７】
（第２２の実施形態）  
図２７は、この発明の第２２の実施形態に係る回転電機を一部破断して示す側面図である。本実施形態によれば、回転電機は、インナーロータ型の回転電機として構成されている。回転電機２０は、円筒状に形成された固定子枠４０と、固定子枠の両端にそれぞれ嵌合固定され、固定子枠の両端を閉塞した円盤状の端板４２、４３と、を備え、これらにより、内部が密閉されたケースが構成されている。端板４２、４３の中心部には、後述する回転軸４４を通す透孔が形成され、この透孔の周囲に軸受箱４２ａ、４３ａがそれぞれ形成されている。
【００６８】
軸受箱４２ａ、４３ａに軸受４６、４８の外輪４６ａ、４８ａがそれぞれ嵌合され、固定されている。軸受４６、４８の内輪は、枢軸として機能する回転軸４４の端部外周に嵌合されている。軸受箱４２ａ、４３ａの外側から軸受押え４２ｂ、４３ｂが軸受箱に固定され、軸受４６、４８を軸受箱に固定している。軸受箱４２ａ、４３ａ内には、例えば、グリース等の潤滑剤が保持されている。
【００６９】
固定子４８は、固定子枠４０の内周面に固定された円筒状の固定子鉄心５０と、固定子鉄心に巻装された固定子コイル５２とを有している。固定子鉄心５０は、磁性材、例えば、珪素鋼板からなる環状の金属板を多数枚積層して構成されている。固定子鉄心５０の内周部には、それぞれ軸方向に延びた複数のスロットが形成され、これらのスロットに固定子コイル５２が埋め込まれている。固定子コイル５２のコイルエンドは固定子鉄心５０の両端面から軸方向に張り出している。
【００７０】
回転子５４は、回転軸４４と、回転軸の中央部に固定された円筒形状の回転子鉄心５６とを有している。回転軸４４はモータケース内を延び、その両端部は、それぞれ端板４２、４３の中心孔を貫通して外部に延出しているとともに、軸受４６、４８によって回転自在に支持されている。回転子鉄心５６は、磁性材、例えば、珪素鋼板からなる環状の金属板を多数枚積層して構成されている。回転子鉄心５６は、回転軸４４に圧入された一対の鉄心押え５７ａ、５７ｂにより軸方向両側面から挟まれ、所定位置に支持されている。回転子鉄心５６の外周面は、固定子鉄心５０の内周面と所定の隙間Ｇを置いて対向している。回転子鉄心５６の内周部および鉄心押さえ５７ａ、５７ｂには、それぞれ回転子鉄心５６を軸方向に貫通した複数の通風孔６０が形成されている。これらの通風孔６０は、回転子鉄心５６の円周方向に沿って互いに等間隔離間して設けられている。
【００７１】
固定子４８の固定子コイル５２に通電することにより、回転子鉄心５６が誘導され、回転子５４が回転軸４４を中心として回転される。
【００７２】
端板４２、４３には、機体内と外部とを連通する複数の透孔６２、６４が形成されている。これらの透孔６２、６４は、回転電機２０の内気と外気を通気させ通気孔として設けられている。端板４２、４３において、複数の透孔６２、６４は、軸受箱４２ａ、４３ａの外周側に形成されているとともに、回転軸４４と同軸な円上に互いに隙間を並んで設けられている。各透孔６２、６３は、例えば、楕円形に形成され、また、透孔の中心軸は、回転軸４４とほぼ平行に延びている。
【００７３】
端板４３の各透孔６４には、例えば、ゴム、合成樹脂等で形成されたブッシュ１７が嵌め込まれている。ブッシュ１７は、透孔６４に対応する断面が楕円形の中空形状、つまり、筒状に形成されている。ブッシュ１７の一端外周にはフランジ１７ａが形成されている。ブッシュ１７内にブレード１８が一体に形成されている。ブレード１８は、楕円の短軸に沿ってブッシュ１７の長辺間を延びているとともに、ブッシュ１７の軸方向全長に亘って延びている。このブレード１８は、空気流を発生させるフィンとして機能するとともに、ブッシュ１７の潰れを防止する補強板としても機能する。
【００７４】
ブッシュ１７は、端板４３の外面側から透孔６４に嵌め込まれ、その弾性により透孔７の内周面に密着している。ブッシュ１７のフランジ１７ａは、端板４の外面に当接し、ブッシュ１７を透孔６４に対して位置きめしている。本実施形態において、ブッシュ１７の一端は、端板４３の内面から機内側に例えば５〜１０ｍｍ程度、突出し、凸部を形成している。また、ブッシュ１７内に一体に形成されたブレード１８は、回転軸４４を中心とする円周方向と交差する方向に延びている。なお、端板４２に形成された各透孔６２にも、上記と同様のブッシュ１７が嵌め込まれている。
【００７５】
上記のように構成されたインナーロータ型の回転電機２０においても、端板の透孔にブッシュ１７を装着することにより、透孔６２、６４を通る油分を規制し、機外への油の流出、飛散を防止することができる。その他、第１の実施形態と同様の作用効果を得ることができる。
【００７６】
なお、本発明は、上述した実施の形態に限定されるものではなく、実施段階ではその要旨を逸脱しない範囲で種々に変形することが可能である。また、上記実施の形態には種々の段階の発明が含まれており、開示される複数の構成要件における適宜な組み合わせにより種々の発明が抽出され得る。例えば、実施の形態に示される全構成要件から幾つかの構成要件が削除されても、発明が解決しようとする課題の欄で述べた課題が解決でき、発明の効果の欄で述べられている効果が得られる場合には、この構成要件が削除された構成が発明として抽出され得る。
【００７７】
前述した第１〜第２１の実施形態において、ブッシュを回転電機の端板３側の透孔８および端板４側の透孔７の両方に嵌め込む構成としてもよい。ブッシュは、回転電機に設けられる種々の透孔に嵌合配置することができる。その際、端板３側の透孔８に嵌合されるブッシュと、端板４側の透孔に嵌合されるブッシュとを、前述の実施形態から選択された互いに異なる形式のものを用いてもよい。
【００７８】
前述した種々の実施形態において、ブッシュは、ゴム、合成樹脂等に限らず、銅等の金属、鋼材で形成してもよい。この場合、ブッシュの劣化要素が回避できる。また、ブッシュを打ち抜き板金などでも製造が可能となり、生産性の向上が図れる。ブッシュおよびブレードをプラスチック等で形成した場合、より軽量化、生産性の向上が図れる。また、軽量化に伴い、回転方向のバランスの向上も図ることができ、品質の安定化やより高速回転が可能となる。
【００７９】
ブッシュに設けられたブレードは、アルミニュウムなどで形成してもよい。この場合、放熱効果を向上することができ、回転電機および軸受の更なる温度低減、および性能向上が図れる。ブレードは、ブッシュと一体に形成されている場合に限らず、ブッシュと別体に形成し、これをブッシュに固定する構成としてもよい。この場合、適用別のブレードを設定すると仕様に対し、部品の標準化が図れる。
【００８０】
前述した種々の実施形態に係る回転電機の用途は特に限定されず、巻上機のモータに限らず、車両モータなどに代表される車載用の回転電機や、その他の一般産業用モータに適用することができる。
【産業上の利用可能性】
【００８１】
簡単な構造により油分の流出を防止し、周辺機器や周囲環境の汚染を抑制でき、また、製造コスト、製作リードタイムの低減および信頼性の向上を図ることのできる回転電機を提供することができる。
【符号の説明】
【００８２】
１…回転子枠、２…永久磁石、３、４、４２、４３…端板、５、６、４６、４８…軸受、７、８、６２、６４…透孔、９、５０…固定子鉄心、１０…固定子コイル、１１…枢軸、１２、５４…回転子、１４、４８…固定子、１７…ブッシュ、１８…ブレード、２０…回転電機、３２…連結板、３４…ブッシュユニット
【図１】
2010220356.tif 000003
【図２】
2010220356.tif 000004
【図３】
2010220356.tif 000005
【図４】
2010220356.tif 000006
【図５】
2010220356.tif 000007
【図６】
2010220356.tif 000008
【図７】
2010220356.tif 000009
【図８】
2010220356.tif 000010
【図９】
2010220356.tif 000011
【図１０】
2010220356.tif 000012
【図１１】
2010220356.tif 000013
【図１２】
2010220356.tif 000014
【図１３】
2010220356.tif 000015
【図１４】
2010220356.tif 000016
【図１５】
2010220356.tif 000017
【図１６】
2010220356.tif 000018
【図１７】
2010220356.tif 000019
【図１８】
2010220356.tif 000020
【図１９】
2010220356.tif 000021
【図２０】
2010220356.tif 000022
【図２１】
2010220356.tif 000023
【図２２】
2010220356.tif 000024
【図２３】
2010220356.tif 000025
【図２４】
2010220356.tif 000026
【図２５】
2010220356.tif 000027
【図２６】
2010220356.tif 000028
【図２７】
2010220356.tif 000029